【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  モジュラー式ブロックガスパネルコネクタにおいて、本体と、当該本体の１つの面に形成された単一の入口と、前記本体の同一の面に形成された単一の出口と、前記単一の入口及び前記単一の出口を接続する通路とを備える、モジュラー式ブロックガスパネルコネクタ。
【請求項２】  請求項１記載のモジュラー式ブロックガスパネルコネクタにおいて、前記本体が実質的に矩形であり、前記入口及び前記出口が前記本体の横方向の面に形成される、モジュラー式ブロックガスパネルコネクタ。
【請求項３】  請求項１記載のモジュラー式ブロックガスパネルコネクタにおいて、前記通路が２つの部分を備える、モジュラー式ブロックガスパネルコネクタ。
【請求項４】  請求項３記載のモジュラー式ブロックガスパネルコネクタにおいて、前記通路の一方の部分が、実質的に直線状であり且つ前記面に対して鋭角な角度にて前記面から内方に伸長する、モジュラー式ブロックガスパネルコネクタ。
【請求項５】  請求項４記載のモジュラー式ブロックガスパネルコネクタにおいて、前記通路の他方の部分が、実質的に直線状であり且つ前記一方の部分に接続される、モジュラー式ブロックガスパネルコネクタ。
【請求項６】  請求項５記載のモジュラー式ブロックガスパネルコネクタにおいて、前記他方の部分及び前記一方の部分がＶ字形の通路接続部を形成する、モジュラー式ブロックガスパネルコネクタ。
【請求項７】  前記請求項の何れか一項に記載のモジュラー式ブロックガスパネルコネクタにおいて、前記単一のガスの入口及び前記単一のガスの出口が同一の平面に位置する、モジュラー式ブロックガスパネルコネクタ。
【請求項８】  請求項１乃至７の何れかに記載のモジュラー式ブロックガスパネルコネクタと、第一のガスマニホルド及び第一の能動的装置の一方と、第二のガスマニホルド及び第二の能動的装置の一方と、を備えるガスパネルであって、
前記コネクタの前記単一の入口は、前記第一のガスマニホルド又は前記第一の能動的装置の出口と係合するように構成されており、前記単一の出口は、前記第二のガスマニホルド又は前記第二の能動的装置の入口と係合するように構成されており、それによって、前記第一のガスマニホルド又は前記第一の能動的装置の前記出口を、前記第二のガスマニホルド又は前記第二の能動的装置の前記入口に、前記通路が直接接続する、ガスパネル。
【請求項９】  請求項８に記載のガスパネルにおいて、前記第一のガスマニホルド又は前記第一の能動的装置は、前記第二のガスマニホルド又は前記第二の能動的装置に隣接して配置される、ガスパネル。
【請求項１０】  請求項８に記載のガスパネルにおいて、前記単一の入口は、第一の複数の取付け開孔によって取り巻かれ、前記第一の複数の取付け開孔は前記コネクタの前記本体の一つの面に形成されており、前記単一の出口は、第二の複数の取り付け開口によって取り巻かれている、ガスパネル。
【請求項１１】  複数の個別のマニホルドブロックから構成され、流体の分配を可能にするマニホルドシステムであって、
複数の個々のマニホルドブロックであって、それぞれのマニホルドブロックが単一の流体通路を備え、当該流体通路は共通する面のみからアクセスする入口ポート及び出口ポートを有する、複数の個々のマニホルドブロックと、
互いに対して隣接するマニホルドブロックの一対を取り外し可能に接続する手段であって、前記隣接するマニホルドブロックのそれぞれの流体通路が、相互接続のために配置されることを作動可能に許容する、取り外し可能に接続する手段とを備える、マニホルドシステム。
【請求項１２】  請求項１１記載のマニホルドシステムにおいて、前記隣接するマニホルドブロックの一対は形態が同一である、マニホルドシステム。
【請求項１３】  請求項１１記載のマニホルドシステムにおいて、前記取り外し可能に相互接続する手段は、隣接するマニホルドブロックの個々の前記共通する面を共通する面内で保持して、相互接続された通路の密封を容易にする、マニホルドシステム。
【請求項１４】  請求項１１記載のマニホルドシステムにおいて、支持面への取り付けを可能にするために、前記共通する面から前記マニホルドブロックを通って伸びる複数の開孔を更に含む、マニホルドシステム。
【請求項１５】  請求項１１記載のマニホルドシステムにおいて、前記取り外し可能に相互接続する手段は、能動的な構成要素の基部及びコネクタブロックの一方を含む、マニホルドシステム。
【請求項１６】  ガスパネルの他の部分とガスが通るように連通する流体用構成要素の接続に用いるフランジであって、
第一の表面及び第二の表面を含む一対の対向する面を有する基部であって、前記第一の表面は、前記流体用構成要素を受け入れるために、前記第一の表面から伸びる円筒形のフランジ部分を備え、前記第二の表面は前記ガスパネルの前記他の部分に係合する、基部と、
前記円筒形のフランジ部分内に配置される第一の開口部、及び前記基部の前記第二の表面に配置される第二の開口部を備える、第一の流体導管と、
前記円筒形のフランジ部分内に配置され且つ前記第一の流体導管の前記第一の開口部から離れている第一の開口部、及び前記基部の前記第二の表面に配置され且つ前記第一の流体導管の前記第二の開口分から離れている第二の開口部を備える、第二の流体導管とを含む、フランジ。
【請求項１７】  請求項１６記載のフランジにおいて、前記円筒形のフランジ部分は、中央領域及び当該中央領域を取り巻く環状領域を含んでおり、前記第一の流体導管の前記第一の開口部は、前記中央領域に配置され、前記第二の流体導管の前記第一の開口部は、前記中央領域を取り巻く前記環状領域に配置される、フランジ。
【請求項１８】  請求項１７記載のフランジにおいて、前記中央領域はカラーによって前記環状領域から分離されている、フランジ。
【請求項１９】  請求項１６記載のフランジにおいて、前記円筒形のフランジ部分は、中央領域及び当該中央領域を取り巻く環状領域を含んでおり、前記第一の流体導管の前記第一の開口部は、前記中央領域を取り巻く前記環状領域内の第一の位置に配置され、前記第二の流体導管の前記第一の開口部は、前記中央領域を取り巻き且つ前記第一の位置から離れている前記環状領域内の第二の位置に配置される、フランジ。
【請求項２０】  請求項１６乃至１９の何れか一項に記載のフランジにおいて、前記流体用構成要素は、第一のポート及び第二のポートを含む２つのポートを有しており、前記第一の流体導管の前記第一の開口部は、前記第一のポートとガスが通るように連通し、前記第二の流体導管の前記第一の開口部は、前記第二のポートとガスが通るように連通する、フランジ。
【請求項２１】  請求項１６乃至２０の何れか一項に記載のフランジにおいて、前記流体用構成要素は、第一のポート、第二のポート、及び第三のポートを含む３つのポートを有しており、前記第一の流体導管の前記第一の開口部は、前記第一のポートとガスが通るように連通しており、前記第二の流体導管の前記第一の開口部は、前記第二のポートとガスが通るように連通しており、
前記フランジは、更に、前記中央領域を取り巻き且つ前記第二の流体導管の前記第一の開口部から離れている前記環状領域の前記円筒形のフランジ部分内で、前記第一の表面に配置された第一の開口部を有する第三の流体導管と、前記基部の前記第二の表面に配置され且つ前記第一及び第二の流体導管の前記第二の開口部から離れている第二の開口部とを備えており、
前記第三の流体導管の前記第一の開口部は、前記第三のポートとガスが通るように連通する、フランジ。
【請求項２２】  請求項１６乃至２１の何れか一項に記載のフランジにおいて、前記第一の流体導管の前記第二の開口部は、第一のマニホルドとガスが通るように連通し、前記第二の流体導管の前記第二の開口部は、前記第一のマニホルドとは異なる第二のマニホルドとガスが通るように連通する、フランジ。
【請求項２３】  請求項１６乃至２２の何れか一項に記載のフランジにおいて、前記基部は、第一の漏洩試験用ポートを含み、当該第一の漏洩試験用ポートは、前記第一の表面から前記第二の表面まで伸びる前記円筒形のフランジ部分の外側に配置され、且つ前記第一の流体導管の前記第二の開口部に隣接する、フランジ。
【請求項２４】  請求項１６乃至２３の何れか一項に記載のフランジにおいて、前記基部は、第二の漏洩試験用ポートを含み、当該第二の漏洩試験用ポートは、前記第一の表面から前記第二の表面まで伸びる前記円筒形のフランジ部分の外側に配置され、且つ前記第二の流体導管の前記第二の開口部に隣接する、フランジ。